【手続補正書】
【提出日】平成28年11月9日(2016.11.9)
【手続補正１】
【補正対象書類名】特許請求の範囲
【補正対象項目名】全文
【補正方法】変更
【補正の内容】
【特許請求の範囲】
【請求項１】
ロケーションベースサービスアプリケーションサーバから、前記ロケーションベースサービスアプリケーションサーバと関連付けられた第1のモバイルデバイスのための第1の識別情報を受信するように構成され、アクセス/ロケーションネットワークから、前記アクセス/ロケーションネットワークと関連付けられた第2のモバイルデバイスのための第2の識別情報を受信するようにさらに構成されたた受信機と、
前記受信機に通信可能に結合され、前記第1の識別情報が前記第2の識別情報と一致するかどうかを判定し、前記第1の識別情報が前記第2の識別情報と一致するかどうかに少なくとも部分的に基づいて、前記第1のモバイルデバイスと前記第2のモバイルデバイスが同じモバイルデバイスであるかどうかを判定するように構成され、前記第1のモバイルデバイスと前記第2のモバイルデバイスが同じモバイルデバイスであると判定されたことに応答して、前記第1のモバイルデバイスにロケーションサービスを提供するようにさらに構成された、プロセッサと、
を備える、ロケーションサーバ。
【請求項２】
前記ロケーションサービスを提供するために、前記プロセッサが、前記第1のモバイルデバイスにロケーション支援データを提供すること、または前記第1のモバイルデバイスにロケーション推定値を提供すること、または前記ロケーションベースサービスアプリケーションサーバに前記第1のモバイルデバイスについてのロケーション推定値を提供すること、またはそれらの組合せを行うように構成された、請求項1に記載のロケーションサーバ。
【請求項３】
前記プロセッサが、前記アクセス/ロケーションネットワークによって提供された前記第1のモバイルデバイスについての測定値、または前記第1のモバイルデバイスによって提供された前記第1のモバイルデバイスについてのロケーション推定値、または前記第1のモバイルデバイスによって提供されたロケーション測定値、またはそれらの組合せを使用して、前記第1のモバイルデバイスについての前記ロケーション推定値を取得するように構成された、請求項2に記載のロケーションサーバ。
【請求項４】
前記ロケーションサーバが、セキュアユーザプレーンロケーション(SUPL)ロケーションプラットフォーム(SLP)であり、前記プロセッサが、前記ロケーションサーバと前記第1のモバイルデバイスとの間のSUPLセッションを使用して、前記第1のモバイルデバイスについての前記ロケーション推定値を取得するように構成された、請求項3に記載のロケーションサーバ。
【請求項５】
前記第1の識別情報が第1のインターネットプロトコルアドレスを含み、前記第2の識別情報が第2のインターネットプロトコルアドレスを含み、または前記第1の識別情報が第1の媒体アクセス制御(MAC)アドレスを含み、前記第2の識別情報が第2のMACアドレスを含む、請求項1に記載のロケーションサーバ。
【請求項６】
前記プロセッサが、前記第1のモバイルデバイスに会場割当て識別子(VID)を送るようにさらに構成され、前記VIDが前記第1のモバイルデバイスに一時的に特有である、請求項1に記載のロケーションサーバ。
【請求項７】
前記VIDが第1の媒体アクセス制御(MAC)アドレスを含む、請求項6に記載のロケーションサーバ。
【請求項８】
前記受信機が、前記第3のモバイルデバイスのための第3の識別情報を受信するように構成され、
前記プロセッサが、前記第3の識別情報が前記第1の識別情報および前記第2の識別情報と一致するかどうかを判定し、前記第3の識別情報が前記第1の識別情報および前記第2の識別情報と一致するかどうかに少なくとも部分的に基づいて、前記第1のモバイルデバイス、前記第2のモバイルデバイス、および前記第3のモバイルデバイスが同じモバイルデバイスであるかどうかを判定するように構成され、
前記プロセッサが、前記第1のモバイルデバイス、前記第2のモバイルデバイス、および前記第3のモバイルデバイスが同じモバイルデバイスであると判定したことに応答して、前記第1のモバイルデバイスに前記ロケーションサービスを提供するように構成され、
前記第1の識別情報、前記第2の識別情報、および前記第3の識別情報がすべて、インターネットプロトコルアドレス、会場割当て識別番号、または媒体アクセス制御アドレスを含む、
請求項1に記載のロケーションサーバ。
【請求項９】
ロケーションベースサービスアプリケーションサーバから、前記ロケーションベースサービスアプリケーションサーバと関連付けられた第1のモバイルデバイスのための第1の識別情報を受信するための第1の受信手段と、
アクセス/ロケーションネットワークから、前記アクセス/ロケーションネットワークと関連付けられた第2のモバイルデバイスのための第2の識別情報を受信するための第2の受信手段と、
前記第1の受信手段および前記第2の受信手段に通信可能に結合され、前記第1の識別情報が前記第2の識別情報と一致するかどうかを判定するための比較手段と、
前記第1の識別情報が前記第2の識別情報と一致するかどうかに少なくとも部分的に基づいて、前記第1のモバイルデバイスと前記第2のモバイルデバイスが同じモバイルデバイスであるかどうかを判定するための判定手段と、
前記比較手段に通信可能に結合され、前記第1のモバイルデバイスと前記第2のモバイルデバイスが同じモバイルデバイスであると前記比較手段が判定したことに応答して、前記第1のモバイルデバイスにロケーションサービスを提供するためのロケーションサービス情報手段と
を備える、ロケーションサーバ。
【請求項１０】
前記ロケーションサービスを提供するために、前記ロケーションサービス情報手段が、前記第1のモバイルデバイスにロケーション支援データを提供すること、または前記第1のモバイルデバイスにロケーション推定値を提供すること、または前記ロケーションベースサービスアプリケーションサーバに前記第1のモバイルデバイスについてのロケーション推定値を提供すること、またはそれらの組合せを行うように構成された、請求項9に記載のロケーションサーバ。
【請求項１１】
前記ロケーションサービス情報手段が、前記アクセス/ロケーションネットワークによって提供された前記第1のモバイルデバイスについての測定値、または前記第1のモバイルデバイスによって提供された前記第1のモバイルデバイスについてのロケーション推定値、または前記第1のモバイルデバイスによって提供されたロケーション測定値、またはそれらの組合せを使用して、前記第1のモバイルデバイスについての前記ロケーション推定値を取得するように構成された、請求項10に記載のロケーションサーバ。
【請求項１２】
前記ロケーションサーバが、セキュアユーザプレーンロケーション(SUPL)ロケーションプラットフォーム(SLP)であり、前記ロケーションサービス情報手段が、前記ロケーションサーバと前記第1のモバイルデバイスとの間のSUPLセッションを使用して、前記第1のモバイルデバイスについての前記ロケーション推定値を取得するように構成された、請求項11に記載のロケーションサーバ。
【請求項１３】
前記第1の識別情報が第1のインターネットプロトコルアドレスを含み、前記第2の識別情報が第2のインターネットプロトコルアドレスを含み、または前記第1の識別情報が第1の媒体アクセス制御(MAC)アドレスを含み、前記第2の識別情報が第2のMACアドレスを含む、請求項9に記載のロケーションサーバ。
【請求項１４】
前記第1のモバイルデバイスに会場割当て識別子(VID)を送るための会場識別子手段をさらに備え、前記VIDが前記第1のモバイルデバイスに一時的に特有である、請求項9に記載のロケーションサーバ。
【請求項１５】
第3のモバイルデバイスから、前記第3のモバイルデバイスのための第3の識別情報を受信するための第3の受信手段をさらに備え、
前記比較手段が、前記第3の識別情報が前記第1の識別情報および前記第2の識別情報と一致するかどうかを判定し、前記第3の識別情報が前記第1の識別情報および前記第2の識別情報と一致するかどうかに少なくとも部分的に基づいて、前記第1のモバイルデバイス、前記第2のモバイルデバイス、および前記第3のモバイルデバイスが同じモバイルデバイスであるかどうかを判定するように構成され、
前記ロケーションサービス情報手段が、前記第1のモバイルデバイス、前記第2のモバイルデバイス、および前記第3のモバイルデバイスが同じモバイルデバイスであると前記比較手段が判定したことに応答して、前記第1のモバイルデバイスに前記ロケーションサービスを提供するように構成され、
前記第1の識別情報、前記第2の識別情報、および前記第3の識別情報がすべて、インターネットプロトコルアドレス、会場割当て識別子、または媒体アクセス制御アドレスを含む、
請求項9に記載のロケーションサーバ。
【請求項１６】
ロケーションベースサービスを提供する方法であって、
ロケーションサーバで、ロケーションベースサービスアプリケーションサーバから、前記ロケーションベースサービスアプリケーションサーバと関連付けられた第1のモバイルデバイスのための第1の識別情報を受信するステップと、
前記ロケーションサーバで、アクセス/ロケーションネットワークから、前記アクセス/ロケーションネットワークと関連付けられた第2のモバイルデバイスのための第2の識別情報を受信するステップと、
前記第1の識別情報が前記第2の識別情報と一致するかどうかを判定するステップと、
前記第1の識別情報が前記第2の識別情報と一致するかどうかに少なくとも部分的に基づいて、前記第1のモバイルデバイスと前記第2のモバイルデバイスが同じモバイルデバイスであるかどうかを判定するステップと、
前記第1のモバイルデバイスと前記第2のモバイルデバイスが同じモバイルデバイスであると判定されたことに応答して、前記第1のモバイルデバイスに対するロケーションサービスを有効にするステップと、
を含む、方法。
【請求項１７】
前記ロケーションサービスを有効にするステップは、前記第1のモバイルデバイスにロケーション支援データを提供するステップ、または前記第1のモバイルデバイスにロケーション推定値を提供するステップ、または前記ロケーションベースサービスアプリケーションサーバに前記第1のモバイルデバイスについてのロケーション推定値を提供するステップ、またはそれらの組合せを行うステップを含む、請求項16に記載の方法。
【請求項１８】
前記第1のモバイルデバイスについての前記ロケーション推定値は、前記アクセス/ロケーションネットワークによって提供された前記第1のモバイルデバイスについての測定値、または前記第1のモバイルデバイスによって提供された前記第1のモバイルデバイスについてのロケーション推定値、または前記第1のモバイルデバイスによって提供されたロケーション測定値、またはそれらの組合せを使用して取得される、請求項17に記載の方法。
【請求項１９】
前記ロケーションサーバが、セキュアユーザプレーンロケーション(SUPL)ロケーションプラットフォーム(SLP)であり、前記第1のモバイルデバイスにより提供されたロケーション推定値または前記第1のモバイルデバイスにより提供された前記第1のモバイルデバイスについての前記ロケーション推定値は、前記ロケーションサーバと前記第1のモバイルデバイスとの間のSUPLセッションを使用して取得される、請求項18に記載の方法。
【請求項２０】
前記第1の識別情報が第1のインターネットプロトコルアドレスを含み、前記第2の識別情報が第2のインターネットプロトコルアドレスを含み、または前記第1の識別情報が第1の媒体アクセス制御(MAC)アドレスを含み、前記第2の識別情報が第2のMACアドレスを含む
、請求項16に記載の方法。
【請求項２１】
前記ロケーションベースサービスアプリケーションサーバから前記第1のモバイルデバイスに第1の会場割当て識別子(VID)を送信するステップをさらに含み、前記第1のVIDが前記第1のモバイルデバイスに一時的に特有であり、前記第1の識別情報は前記第1のVIDを含み、前記第2の識別情報は第2のVIDを含む、請求項16に記載の方法。
【請求項２２】
前記第1のVIDが第1の媒体アクセス制御(MAC)アドレスを含み、前記第2のVIDが第2のMACアドレスを含む、請求項21に記載の方法。
【請求項２３】
前記ロケーションサーバで、第3のモバイルデバイスから、前記第3のモバイルデバイスのための第3の識別情報を受信するステップと、
前記第3の識別情報が前記第1の識別情報および前記第2の識別情報と一致するかどうかを判定するステップと、
前記第3の識別情報が前記第1の識別情報および前記第2の識別情報と一致するかどうかに少なくとも部分的に基づいて、前記第1のモバイルデバイス、前記第2のモバイルデバイス、および前記第3のモバイルデバイスが同じモバイルデバイスであるかどうかを判定するステップと、
をさらに含み、
前記第1のモバイルデバイスに対するロケーションサービスを有効にすることが、前記第1のモバイルデバイス、前記第2のモバイルデバイス、および前記第3のモバイルデバイスが同じモバイルデバイスであると判定したことに応答して行われる、
請求項16に記載の方法。
【請求項２４】
前記第1の識別情報が第1のインターネットプロトコルアドレスを含み、前記第2の識別情報が第2のインターネットプロトコルアドレスを含み、前記第3の識別情報が第3のインターネットプロトコルアドレスを含む、請求項23に記載の方法。
【請求項２５】
前記第1の識別情報が第1の媒体アクセス制御(MAC)アドレスを含み、前記第2の識別情報が第2のMACアドレスを含み、前記第3の識別情報が第3のMACアドレスを含む、請求項23に記載の方法。
【請求項２６】
前記ロケーションベースサービスアプリケーションサーバから前記第1のモバイルデバイスに、または、前記ロケーションサーバから前記第3のモバイルデバイスに、会場割当て識別子(VID)を送信するステップをさらに含み、前記VIDが、前記VIDが送信されたモバイルデバイスに一時的に特有である、請求項23に記載の方法。
【請求項２７】
前記第3の識別情報が前記第1の識別情報および前記第2の識別情報と一致するかどうかを判定するステップは、前記第1の識別情報、前記第2の識別情報、および前記第3の識別情報がそれぞれ前記VIDを含むと判定するステップを含む、請求項26に記載の方法。
【請求項２８】
前記VIDが媒体アクセス制御(MAC)アドレスを含む、請求項26に記載の方法。
【請求項２９】
前記アクセス/ロケーションネットワークが、IEEE 802.11のWiFiアクセスポイント(AP)、Bluetooth（登録商標） AP、またはフェムトセル、またはそれらの組合せを備える、請求項16に記載の方法。
【請求項３０】
前記ロケーションサービスを有効にするステップは、前記第1のモバイルデバイスに対するロケーションサービスを前記ロケーションベースサービスアプリケーションサーバから有効にするステップを含む、請求項16に記載の方法。
【請求項３１】
前記第1のモバイルデバイスと前記第2のモバイルデバイスが同じモバイルデバイスであると判定できなかったことに応答して、前記ロケーションサーバからの第1のモバイルデバイス向けのロケーションサービスを保留するステップをさらに含む、請求項16に記載の方法。
【請求項３２】
ロケーションベースサービスアプリケーションサーバから、前記ロケーションベースサービスアプリケーションサーバと関連付けられた第1のモバイルデバイスのための第1の識別情報を受信するステップと、
アクセス/ロケーションネットワークから、前記アクセス/ロケーションネットワークと関連付けられた第2のモバイルデバイスのための第2の識別情報を受信するステップと、
前記第1の識別情報が前記第2の識別情報と一致するかどうかを判定するステップと、
前記第1の識別情報が前記第2の識別情報と一致するかどうかに少なくとも部分的に基づいて、前記第1のモバイルデバイスと前記第2のモバイルデバイスが同じモバイルデバイスであるかどうかを判定するステップと、
前記第1のモバイルデバイスと前記第2のモバイルデバイスが同じモバイルデバイスであると判定されたことに応答して、前記第1のモバイルデバイスに対するロケーションサービスを有効にするステップと、
をプロセッサに行わせるように構成されたプロセッサ可読命令を含む、プロセッサ可読記憶媒体。
【請求項３３】
前記プロセッサに前記ロケーションサービスを有効にさせるように構成された命令は、前記第1のモバイルデバイスにロケーション支援データを提供するステップ、または前記第1のモバイルデバイスにロケーション推定値を提供するステップ、または前記ロケーションベースサービスアプリケーションサーバに前記第1のモバイルデバイスについてのロケーション推定値を提供するステップ、またはそれらの組合せを行うステップを前記プロセッサに行わせるように構成された命令を含む、請求項32に記載のプロセッサ可読記憶媒体。
【請求項３４】
前記プロセッサに、前記アクセス/ロケーションネットワークによって提供された前記第1のモバイルデバイスについての測定値、または前記第1のモバイルデバイスによって提供された前記第1のモバイルデバイスについてのロケーション推定値、または前記第1のモバイルデバイスによって提供されたロケーション測定値、またはそれらの組合せを使用して、前記第1のモバイルデバイスについての前記ロケーション推定値を取得させるように構成された命令をさらに含む、請求項33に記載のプロセッサ可読記憶媒体。
【請求項３５】
前記第1のモバイルデバイスにより提供された前記第1のモバイルデバイスについてのロケーション推定値または前記第1のモバイルデバイスにより提供された前記ロケーション推定値は、前記第1のモバイルデバイスとのセキュアユーザプレーンロケーションセッションを使用して取得される、請求項34に記載のプロセッサ可読記憶媒体。
【請求項３６】
前記第1の識別情報が第1のインターネットプロトコルアドレスを含み、前記第2の識別情報が第2のインターネットプロトコルアドレスを含み、または前記第1の識別情報が第1の媒体アクセス制御(MAC)アドレスを含み、前記第2の識別情報が第2のMACアドレスを含む、請求項32に記載のプロセッサ可読記憶媒体。
【請求項３７】
第3のモバイルデバイスから、前記第3のモバイルデバイスのための第3の識別情報を受信するステップと、
前記第3の識別情報が前記第1の識別情報および前記第2の識別情報と一致するかどうかを判定するステップと、
前記第3の識別情報が前記第1の識別情報および前記第2の識別情報と一致するかどうかに少なくとも部分的に基づいて、前記第1のモバイルデバイス、前記第2のモバイルデバイス、および前記第3のモバイルデバイスが同じモバイルデバイスであるかどうかを判定するステップと、
を前記プロセッサに行わせるように構成された命令をさらに含み、
前記プロセッサに前記第1のモバイルデバイスに対するロケーションサービスを有効にさせるように構成された命令が、前記第1のモバイルデバイス、前記第2のモバイルデバイス、および前記第3のモバイルデバイスが同じモバイルデバイスであると判定したことに応答して、前記プロセッサに前記第1のモバイルデバイスに対するロケーションサービスを有効にさせるように構成される、
請求項32に記載のプロセッサ可読記憶媒体。
【請求項３８】
前記第1の識別情報が第1のインターネットプロトコルアドレスを含み、前記第2の識別情報が第2のインターネットプロトコルアドレスを含み、前記第3の識別情報が第3のインターネットプロトコルアドレスを含む、請求項37に記載のプロセッサ可読記憶媒体。
【請求項３９】
前記第1の識別情報が第1の媒体アクセス制御(MAC)アドレスを含み、前記第2の識別情報が第2のMACアドレスを含み、前記第3の識別情報が第3のMACアドレスを含む、請求項37に記載のプロセッサ可読記憶媒体。
【請求項４０】
前記プロセッサに前記第3のモバイルデバイスに会場割当て識別子(VID)を送信させるように構成された命令をさらに含み、前記VIDが、前記VIDが送信されたモバイルデバイスに一時的に特有である、請求項37に記載のプロセッサ可読記憶媒体。
【請求項４１】
前記第3の識別情報が前記第1の識別情報および前記第2の識別情報と一致するかどうかを前記プロセッサに判定させるように構成された命令は、前記第1の識別情報、前記第2の識別情報、および前記第3の識別情報がそれぞれ前記VIDを含むと前記プロセッサに判定させるように構成された命令を含む、請求項40に記載のプロセッサ可読記憶媒体。
【請求項４２】
前記VIDが媒体アクセス制御(MAC)アドレスを含む、請求項40に記載のプロセッサ可読記憶媒体。
【請求項４３】
前記アクセス/ロケーションネットワークが、IEEE 802.11のWiFiアクセスポイント(AP)、Bluetooth（登録商標） AP、またはフェムトセル、またはそれらの組合せを備える、請求項32に記載のプロセッサ可読記憶媒体。
【請求項４４】
前記第1のモバイルデバイスと前記第2のモバイルデバイスが同じモバイルデバイスであると判定できなかったことに応答して、前記プロセッサに、前記ロケーションベースサービスアプリケーションサーバからの第1のモバイルデバイス向けのロケーションサービスを保留させるように構成された命令をさらに含む、請求項32に記載のプロセッサ可読記憶媒体。